(57)【要約】      （修正有）【課題】廃棄食品容器を再利用した飲料等容器に上乗せする添え皿及び添え皿として容器が切り取れ、又は廃棄時折りたたんで減容可能な弁当等食品容器を提供する。【解決手段】コンビニエンスストアーの弁当容器や惣菜容器等の角の部分で、おかずを入れる小鉢状の部分で深い部分と角のへりの形状が、飲料容器３のへりの形状に合い乗せることができ、その角に、弁当容器の蓋と本体とを開けるときの取っ手部分が添え皿４の取っ手として活用可能で、電子レンジで加熱も可能であり、弁当容器以外の他の廃棄食品容器も、形状が合えば、同様に材料として使用可能な添え皿３として使用する。【選択図】図３
2014148351.tif 000002
【特許請求の範囲】
【請求項１】
食品容器で廃棄物として捨てられているもの、例えばコンビニエンスストアーの弁当容器や惣菜容器等の角の部分で、おかずを入れる小鉢状の部分で深い部分と角のへりの形状が、コーヒーカップや湯のみ茶碗、コップ等飲料容器のへりの形状に合わせられ、且つその角に、弁当容器の蓋と本体とを開けるときの取っ手部分があるものがあるが、その取っ手部分が、添え皿として活用する際、添え皿を付けたり外したり横にずらしたりとそのまま添え皿の取っ手として活用可能な添え皿。
【請求項２】
更に、弁当容器の中にはコンビニエンスストアーの弁当容器等、電子レンジで加熱することが可能であるものが多く、カップ等飲料容器も電子レンジ加熱可能なものなら、２者とも電子レンジで加熱可能な添え皿。
【請求項３】
更に、弁当容器や惣菜容器に限定されず、他の廃棄される食品容器、例えば生鮮野菜のトレーやビスケット等菓子の内包の透明又は半透明容器も、形状が合えば、同様に使用可能な添え皿。
【請求項４】
この添え皿として機能する形状のおかず収納部を角に持ち、ごはん収納部など仕切り部分より分離可能な構造を持つ弁当容器。
【請求項５】
この添え皿として機能する形状のおかず収納部を角に持ち、ごはん収納部など材質が軟らかく、仕切り又は底に筋を入れるなどで簡単に折りたため容積を減じて廃棄する構造を持つ弁当容器。
【発明の詳細な説明】
【技術分野】
【０００１】  本発明は、使い捨て可能で多目的な廃棄食品容器を再利用した、飲料等容器に上乗せする添え皿及び添え皿として容器が切り取れ、且つ廃棄時折りたたんで減容可能な弁当箱等廃棄食品容器に関するものである。
【技術背景】
【０００２】  コーヒーカップや湯のみ茶碗、紙コップ等多様な飲料容器が、市販されている。これは、飲料を飲むためであるが、その使用する人や目的、材質は、多種多様である。
【０００３】  これらは、飲料を供する容器だから、例えばコーヒーのような飲料にミルクや角砂糖を添える場合は、喫茶店や家庭の来客時等は受け皿にスプーンなどと共に添えて出すのが普通である。
【０００４】  しかし、コーヒーといった飲料に、ミルクや角砂糖等といった添え物を供する場合、受け皿に添える行為が手間となる場合もあり得る。
【０００５】  例えば、高齢者施設で身体判断能力が健常者より衰えている高齢入居者に又は病院で患者に、服薬用として薬１回処方分と服薬用水を同時に少ない介護職員又は看護士から大量の高齢入居者又は入院患者に対して大量に出す場合、薬は錠剤や粉薬を手渡し或いは何か透明のポケットホルダー等に入れて、水はコップに入れて、介護職員又は看護士から高齢入居者又は入院患者に別々に、キャリアーや配膳車に乗せられ、病室等個人・集合部屋ごとに、一人ひとり渡されることがある。
【０００６】  この際、水の入ったコップ等の容器に、宅配ピザのお好みトッピング具材のように、コップの上に、上面を飲料がこぼれていないか視界を妨げない程度に全面の蓋状ではなく１／３から１／２程度覆い、小さな簡単な小鉢状の小皿のある、軽くて丈夫で耐水性のある使い捨て可能な、ちょうど小皿の添え皿の機能を持つコップ等容器に上乗せ可能な添え皿があれば、紙コップに水と添え皿に１回分の薬とを、一緒に渡せば、手間や労力、人手、時間、飲んだかどうかのチェック、多く飲む誤飲事故等を防ぎ、丸ごと使い捨てることで、容器の不完全な洗浄による感染を防ぎ、加えて洗浄そのものの手間・労力を省くことに寄与すると考えられる。これにより、人手不足の介護・医療現場の人手不足の改善に寄与する可能性があると考えられるのではと考えた。
【０００７】  また、高齢者や病院の患者のみならず、健常者の日常生活においても、例えばお茶・コーヒー等嗜好品飲料のミルク・砂糖等通常の添え物だけでなく、レモンテイーのレモンの切れ端や日本酒を嗜む際の岩塩、飲み屋のお通し・つまみと最初のアルコール飲料等の組み合わせ等また、添え物と飲料類の組み合わせだけでなく、おかゆの際の梅干やしょうゆの際のわさび等添え物と食品等の組み合わせも可能と考えられ、容積と重量とが軽いものであれば、また添え皿と容器との形状が合えば、その添え皿としての機能が、飲料容器等だけでなくお茶碗や取皿等にも同様に働くのではと考えられた。
【０００８】  コーヒーカップや湯のみ茶碗、コップ等飲料容器なら容器取り付け用埃防止用蓋や、服薬用なら別途携帯容器としてのお薬入れ透明の入れ物が、廉価で既に市販されている。また、缶・ペットボトル等の飲料容器では、発明上仕切りがあり異なる飲料が１本の容器で楽しめる工夫がなされるもの、またコーヒーカップでテイーバッグを仮置きする仕切りがあるもの、カップラーメンで麺でなく汁のみ楽しむ笊状仕切りがあるもの、及び立食パーテイー等でコップと皿とを片手で保持できる工夫のあるもの、飲料用意の外側に皿上のものが添えられ添え皿として機能するもの等優れたアイデアが既に発明・考え出されている。
【０００９】  しかし、軽くて丈夫で耐水性のある使い捨て可能な、また廉価で、多目的に飲料や食品など入ったコップ等の容器に、宅配ピザのお好みトッピング具材のように、容器の上から、上面を飲料がこぼれていないか視界を妨げずまた添え皿そのものの飲料容器からの取り外し易さから、全面でなく１／３から１／２程度覆い、小さな簡単な小鉢状の小皿のある、ちょうど小皿の添え皿の機能を持つ上乗せ可能な添え皿で、容器のヘリに引っ掛けて使う、健常者による通常の飲料等の添え皿として、容器に載せて供し飲料等に添加する、のみならず、介護施設や病院等で高齢入居者や入院患者等にも服薬における薬と服薬水を一緒に供するようにも使用可能な、少ない人手で多くの業務を行う手間も省くことが可能な、幅広く使える添え皿を、見出すことができなかった。よって、本発明を考えた。
【００１０】  食品容器で廃棄物として捨てられているもの、例えばコンビニエンスストアーの弁当容器や惣菜容器等の角の部分で、おかずを入れる小鉢状の部分で深い部分と角のへりの形状が、コーヒーカップや湯のみ茶碗、コップ等飲料容器のへりの形状に合わせられ乗せることができれば、この要求を満たせるのではないかと考えた。
【００１１】  また、その角に、弁当容器や惣菜容器等の蓋と本体とを開けるときの取っ手部分があるものがあるが、その取っ手部分が、添え皿として活用する際、添え皿を付けたり外したり横にずらしたりとそのまま添え皿の取っ手として活用可能であると考えた。
【００１２】  更に、弁当容器の中にはコンビニエンスストアーの弁当容器等、電子レンジで加熱することが可能であるものが多く、カップ等飲料容器も電子レンジ加熱可能なものなら、２者とも電子レンジで加熱する使用方法も可能であると考えられた。
【００１３】  これは、弁当容器に限定されず、他の廃棄される食品容器、例えば生鮮野菜のトレーやビスケット等菓子の内包の透明又は半透明容器も、形状や材質が合えば、同様に使用可能と考えた。
【００１４】  そして、添え皿として、以上のように形状的に使用可能な弁当容器等に最初から、そのような使用をも想定し、弁当容器の角の部分の小鉢状の部分を添え皿の形状にまたその仕切り部分を折り切り可能な構造が最初からなされているのなら、単に廃棄されるだけの弁当容器ではなく、弁当容器という機能に、お食事時の汁物等に添え皿として活用する付加価値又は食後の使い終わった再利用として、添え皿としての機能を持たせることが、廃棄物の削減や環境負荷だけでなく、新たな売り手のセールスポイントになり得、また買い手の食の楽しみの向上という、３者の利益に適うのではないかと考えた。
【００１５】  弁当容器であるから、調味料や油等液体状の含有物が漏れ出す恐れのある切り取り線ではなく、丁度市販されているカップ上の２個１組のヨーグルト容器が真ん中から折り切ることが可能な構造であるように、弁当容器にも同様の折り切る構造を取り入れれば、弁当容器としての利用価値を向上させるのではと考えられた。
【００１６】  さらに、弁当容器や惣菜容器等の角の小鉢状のおかず収納部分だけでなく、ごはん収納部分や容器の角にない他のおかず収納部分をも、仕切り部にて折り切る構造を持たせれば、容器を破棄する際、その折切る仕切り部分から容器を分解し容積を減じて捨てる乃至容器を折りたたんでペットボトルのように小さく縮めて捨てることが可能となる。材質が軟らかく、仕切り又は底に筋を入れるなどで簡単に折りたためる容器が多いからである。また、東日本大震災の大規模自然災害時避難所に弁当が配布されたが、角の小鉢状のおかず収納部分だけでなく、ごはん収納部分や容器の角にない他のおかず収納部分が、紙皿等が不足する避難生活での臨時の紙皿の代用品を兼ねることも可能となることが考えられる。
【００１７】  また、弁当容器等が数回の電子レンジ使用に耐えうる材質であれば、電子レンジ耐熱皿としてご家庭等で再使用も可能となり、廃棄物削減という環境負荷低減だけでなく、弁当容器を電子レンジ耐熱皿として再利用する石油資源の節約にもなる。
【発明が解決しようとする課題】
【００１８】  軽くて丈夫で耐水性のある使い捨て可能な、また廉価で、水の入ったコップ等の容器に、宅配ピザのお好みトッピング具材のように、コップの上に、上面を飲料がこぼれていないか視界を妨げない程度に全面でなく１／３から１／２程度覆い、小さな簡単な小鉢状の小皿のある、ちょうど小皿の添え皿の機能を持つコップ等容器に上乗せ可能な添え皿で、介護施設や病院で高齢入居者や入院患者等に使用可能な、少ない人手で多くの業務を行う手間も省くことが可能な添え皿でなければならない。使い捨てにできるということが、最上の衛生状態を保てるだけでなく、洗う・乾かす等の手間と時間とを省くことにもなるからである。
【課題を解決するための手段】
【００１９】  食品容器で廃棄物として捨てられているもの、例えばコンビニエンスストアーの弁当容器や惣菜容器等の角の部分で、おかずを入れる小鉢状の部分で深い部分と角のへりの形状が、コーヒーカップや湯のみ茶碗、コップ等飲料容器のへりの形状に合わせられ乗せることができれば、この要求を満たせるのではないかと考えた。また、その角に、弁当容器の蓋と本体とを開けるときの取っ手部分があるものがあるが、その取っ手部分が、添え皿として活用する際、添え皿を付けたり外したり横にずらしたりとそのまま添え皿の取っ手として活用可能であると考えた。更に、弁当容器や惣菜容器等の中にはコンビニエンスストアーの弁当容器等、電子レンジで加熱することが可能であるものが多く、カップ等飲料容器も電子レンジ加熱可能なものなら、２者とも電子レンジで加熱する使用方法も可能であると考えられた。これは、弁当容器に限定されず、他の廃棄される食品容器、例えば生鮮野菜のトレーやビスケット等菓子の内包の透明又は半透明容器も、形状が合えば、同様に使用可能と考えた。
【００２０】  そして、添え皿として、以上のように形状的に使用可能な弁当容器等に最初から、そのような使用をも想定し、弁当容器の角の部分の小鉢状の部分を添え皿の形状にまたその仕切り部分を折り切り可能な構造が最初からなされているのなら、単に廃棄されるだけの弁当容器ではなく、弁当容器という機能に、お食事時の汁物等に添え皿として活用する付加価値又は食後の使い終わった再利用として、添え皿としての機能を持たせることが、廃棄物の削減や環境負荷だけでなく、新たな売り手のセールスポイントになり得、また買い手の食の楽しみの向上という、３者の利益に適うのではないかと考えた。弁当容器であるから、調味料や油等液体状の含有物が漏れ出す恐れのある切り取り線ではなく、丁度市販されているカップ上の２個１組のヨーグルト容器が真ん中から折り切ることが可能な構造であるように、弁当容器にも同様の折り切る構造を取り入れれば、弁当容器としての利用価値を向上させるのではと考えられた。弁当容器等の仕切りや容器の底の筋が、折り取る機能を持たせるのには形状的には適当と考えられた。
【００２１】  加えて、弁当容器の角の小鉢状のおかず収納部分だけでなく、ごはん収納部分や容器の角にない他のおかず収納部分をも、仕切り部にて折り切る構造を持たせれば、容器を破棄する際、その折切る仕切り部分から容器を分解し容積を減じて捨てる乃至容器を折りたたんでペットボトルのように小さく縮めて捨てることが可能となる。また、東日本大震災の大規模自然災害時避難所に弁当が配布されたが、そのような紙皿等が不足する避難生活での臨時の紙皿の代用品を兼ねることが可能となる。また、弁当容器が数回の電子レンジ使用に耐えうる材質であれば、電子レンジ耐熱皿としてご家庭等で再使用も可能となり、廃棄物削減という環境負荷低減だけでなく、弁当容器を電子レンジ耐熱皿として再利用する石油資源の節約にもなる。
【発明が解決しようとする課題】
【発明の効果】
飲料容器等のヘリの形状に合わせ、使い捨ての弁当容器等深い小鉢状の部分添え皿としての機能のある、使い捨て可能な添え皿が完成した。
【図面の簡単な説明】
【００２２】
【図１】本発明の斜見図である。
【図２】本発明の斜見図である。
【図３】本発明の斜見図である。
【図４】本発明の上面及び断面図である。
【図５】本発明の斜見図である。
【図６】本発明の斜見図である。
【図７】本発明の斜見図である。
【図８】本発明の斜見図である。
【図９】本発明の斜見図である。
【発明を実施するための形態】
本発明を実施するための形態を説明する。
【符号の簡単な説明】
１  弁当容器
２  惣菜容器
３  飲料容器
４  添え皿
【図１】
2014148351.tif 000003
【図２】
2014148351.tif 000004
【図３】
2014148351.tif 000005
【図４】
2014148351.tif 000006
【図５】
2014148351.tif 000007
【図６】
2014148351.tif 000008
【図７】
2014148351.tif 000009
【図８】
2014148351.tif 000010
【図９】
2014148351.tif 000011